(57)【特許請求の範囲】
【請求項１】
リフィル皿を裏返しに収納する１枚の弾性を有するシートより形成されるリフィル皿保護容器であって、リフィル皿収納部の周囲を係止部および蛇腹構造を有する壁状構造とし、リフィル皿収納部の略中央部を通る直線上で、かつリフィル皿開口部端面と重なる位置に凸部を設け、当該リフィル皿保護容器からのリフィル皿取り出し時に、前記リフィル皿収納部内に収納されたリフィル皿裏面の左右いずれかの端部を押すと、前期凸部が支点となり、他の端部が係止を外れて上がることを特徴とするリフィル皿保護容器。
【請求項２】
壁状構造が切り欠きを有するものである請求項第１項記載のリフィル皿保護容器。
【請求項３】
リフィル皿収納部が大略直方体であり、左右両辺に切り欠きがあることを特徴とする請求項第１項または第２項記載のリフィル皿保護容器。
【請求項４】
係止部がリフィル皿収納部周囲の４ヶ所にある請求項第１項ないし第３項のいずれかの項記載のリフィル皿保護容器。
【請求項５】
リフィル皿収納部の少なくとも一端に凹部を設けたことを特徴とする請求項第１項ないし第４項のいずれかの項記載のリフィル皿容器。
【請求項６】
凸部が対向する２つの台形の形状である請求項第１項ないし第５項のいずれかの項記載のリフィル皿保護容器。
【発明の詳細な説明】
【０００１】
【発明の属する技術分野】
本発明はリフィル皿保護容器に関し、更に詳細には、一枚のシートを成型することにより調製され、化粧料が充填されたリフィル皿を、化粧料表面をリフィル皿収納部内底面に対向させるように裏返しに収納しながらその取り出しが簡単なリフィル皿保護容器に関する。
【０００２】
【従来の技術】
近年、化粧品の分野では、ファンデーションやアイカラー、頬紅等を中心に、詰め替えが可能なリフィル容器による提供がなされるようになっている。このタイプの化粧料は使い切った後に、リフィル用化粧料を購入し、繰り返し詰め替え使用するというものである。
【０００３】
このリフィル用化粧料は、リフィル皿に充填され、通常簡易なプラスチック等の保持ケースに入れられ、保護された状態で販売されていることが普通である。そして、化粧料の充填されたリフィル皿を入れた保持ケースは、通常プラスチック材料で容器体保持部と蓋部とを成型し、これらが嵌合等することにより、リフィル皿を収納する仕組みとなっていることが多い（特開平１０−７５８１７号、特開平１１−２７６２４０号等）。
【０００４】
しかしながら、この保持ケースは、商品が生産者から需要者へわたる間だけ必要なものであり、一旦リフィル用化粧料が需要者の手に渡ってしまえばゴミとなるだけのものであるから、環境や資源保護の立場から見れば、この保持ケースに用いるプラスチック材料等の成形材料は少なければ少ないほど好ましい。
【０００５】
しかし、一方で、簡単な構成の保護容器ではリフィル皿が脱落しやすいため、かなりしっかりした形でリフィル皿を保持する必要があり、このため、使用にあたって取り出しにくいという問題もあった。
【０００６】
【発明が解決しようとする課題】
本発明は、上記実情に鑑みなされたものであり、最小限の成形材料を使用しながら、リフィル用化粧料の流通時においてリフィル皿およびこれに充填されたリフィル用化粧料を十分に保護でき、しかも使用時の取り出しが簡単な容器の提供をその課題とするものである。
【０００７】
【課題を解決するための手段】
本発明者らは、上記課題を解決すべく鋭意検討を行った結果、収納部周囲に壁状構造と係止部を設け、リフィル皿を裏返しに収納する形態のリフィル皿保護容器であっても、収納部のほぼ中央に凸部を設ければ、簡単にリフィル皿を取り出すことができることを見出し、本発明を完成した。
【０００８】
すなわち本発明は、リフィル皿を裏返しに収納するリフィル皿保護容器であって、リフィル皿収納部の周囲を係止部を有する壁状構造とし、リフィル皿収納部の略中央部を通る直線上で、かつリフィル皿開口部端面と重なる位置に凸部を設けたことを特徴とするリフィル皿保護容器を提供するものである。
【０００９】
【発明の実施の形態】
次に、本発明の実施態様を示す図面を挙げ、本発明を説明する。
【００１０】
図１は、本発明のリフィル皿保護容器の一態様の斜視図、図２は底面図であり、図３は、リフィル皿を収納した状態を示す斜視図である。図中、１はリフィル皿保護容器、２はリフィル皿収納部、３は、壁状構造、４は凸部、５は切り欠き部、６は係止部、７はリフィル皿（裏側）、８はラベルをそれぞれ示す。
【００１１】
本発明のリフィル皿保護容器１は、図１で示すように、１枚のシートを成型することにより形成され、リフィル皿収納部２の周囲の大部分を壁状構造３で取り囲まれるように形成したものである。この壁状構造３の左右辺の一部には、切り欠き部５が設けられ、さらに、係止部６が各コーナー部に設けられている。このリフィル皿保護容器１の、リフィル皿収納部２内は、大部分は平坦であるが、切り欠き部５のある左右辺と平行（すなわち、図２の上下方向。以下、この方向を上下方向と記す）に、ほぼ中央で対向した形状の凸部４が設けられている。
【００１２】
そして、リフィル皿は、図３に示すように、化粧料充填部を下にした裏返し状態で収納され、その端部が各係止部６と嵌合し、図５に示すリフィル皿開口部端面１０が、各凸部４と向かい合った状態でリフィル皿収納部２に保持される。このリフィル皿開口部端面１０は、凸部４と接した状態であることが好ましいが、必ずしも接していなくても良く、両者が重なる位置にあれば良い。また、リフィル皿を裏返し状態で収納するため、リフィル皿の外底面に貼られたラベル８に記載された化粧品に関する各種情報や、表示内容を容易に確認することができる。
【００１３】
このように、リフィル皿２は、収納部２中で係止部６により嵌合保持されるため、このリフィル皿保護容器１を形成する材料としては、ある程度の弾性がある材料を使用することが好ましい。また、充填されたリフィル皿中の化粧料の色等を反対側から簡単に確認できるものとするためには、透明な材料を使用することが好ましい。このような条件を満たす材料としては、例えば、ポリエチレンテレフタレート、ポリスチレン、ポリプロピレン、ポリエチレン、ポリカーボネートやこれらの再生樹脂等のプラスチック材料等を挙げることができる。
【００１４】
このリフィル皿保護容器１の係止部６は、例えば図４に示すように、内側に突き出た突出部として構成される。この係止部６は、リフィル皿を嵌合保持するものであるため、最低でも２個必要であり、一般には４個程度が必要である。またその位置や大きさは特に制約はないが、図１に示すように、コーナー部に設けることが好ましい。
【００１５】
一方、収納部２内に設けられた上下方向の凸部４と、収納部２の周囲の壁状構造３に設けられた切り欠き部５は、リフィル皿保護容器１からリフィル皿を外しやすくするために設けられるものである。
【００１６】
すなわち、図３のように収納されたリフィル皿裏面の、左右いずれかの端部を押すと、凸部４が支点となり、他の端部が上がる。そして、切り欠き部５から指を入れ、上がった端部を引き起こすことにより、簡単にリフィル皿を取り出すことができる。上記の凸部４は、収納部２の底面から、１から５ｍｍ盛り上がっている状態であれば良く、また、切り欠き部５の大きさには特に制限はないが、指が入る大きさであればより好ましい。
【００１７】
なお、図１では、凸部４は、上下に台形形状で対向した状態で設けられているが、リフィル容器の一端を押したときに他端を上げるための支点として作用する形状であればどのような形状でも良いから、上下に対向する半円形や半球状の突起であっても良く、また上下方向に対向する位置を連結した直方体の形状や、平べったいかまぼこ型の形状であっても良い。また、図１では、切り欠き部５は、左右どちらの端部を押しても良いように両側に設けられているが、いずれか一方であっても、あるいはなくても良いことはいうまでもない。
【００１８】
以上説明したリフィル皿保護容器１は、上記のように化粧料を充填したリフィル皿の端部が係止部６と嵌合し、少なくともこの部分、またはこの部分と凸部４でリフィル皿を保持する。
【００１９】
そして、リフィル皿収納部２中に保持されたリフィル皿は、凸部４によりリフィル皿収納部２の内底面との間に空間部を有するため、上記したようにリフィル皿の一方の端部を押すことにより、凸部４を支点として他端が上がり、切り欠き部５に指を入れて引き出すことにより、簡単に取り出すことができるものである。
【００２０】
図６は、本発明のリフィル皿保護容器の他の一態様を示す図面であり、図６（ａ）は正面図、図６（ｂ）は側面図、図６（ｃ）は底面図である。また、図７は図６の底面図のＡ−Ａ’線断面図である。これらの図において、２１はリフィル皿保護容器、２２はリフィル皿収納部、２３は壁状構造、２４は凸部、２５は凹部、２６は係止部、２７は蛇腹構造、２８は蛇腹構造の山部、２９は突出部をそれぞれ示す。
【００２１】
図６に示す本発明のリフィル皿保護容器２１は、１枚のシートを成型することにより形成され、リフィル皿収納部２２の周囲の大部分を壁状構造２３で取り囲まれるようにしたものである。この壁状構造２３の右辺の一部には、リフィル皿取り出し時に指を入れることのできる凹部２５が設けられ、壁状構造２３の左辺の一部および左辺とコーナーを介して隣接する２つの辺（上辺、下辺と記す）のそれぞれ一部に蛇腹構造２７が形成されている。さらに、係止部２６が各コーナーに設けられており、係止部２６近傍の壁状構造２３外縁には突出部２９が設けられている。このリフィル皿保護容器２１のリフィル皿収納部２２には、凹部２５のある右辺および蛇腹構造２７のある左辺と平行（すなわち、上下方向）に、ほぼ中央で対向した形状の凸部２４が設けられている。
【００２２】
そして、リフィル皿は化粧料充填部を下にした裏返し状態で収納され、その端部が各係止部２６と嵌合し、図５に示すリフィル皿開口部端面１０が各凸部２４と向かい合った状態でリフィル皿収納部２２に保持される。この時、リフィル皿保護容器１の場合と同様に、リフィル皿開口部端面１０は凸部２４と接した状態であることが好ましいが、必ずしも接していなくても良く、両者が重なる位置にあれば良い。リフィル皿保護容器２１の材質、係止部２６の数、凸部２４の形状、寸法に関しても、図１のリフィル皿保護容器１や、その係止部６、凸部４と同様である。
【００２３】
一方、リフィル皿収納部２２内に設けられた上下方向の凸部２４と、収納部２２の周囲の壁状構造２３に設けられた凹部２５は、リフィル皿保護容器２１からリフィル皿を外しやすくするために設けられるものである。また、蛇腹構造２７もリフィル皿を外しやすくするために設けられるものであるが、収納中はこの蛇腹構造２７の山部２８により、リフィル皿収納部２２内におけるリフィル皿の係止をより密接にすることができる。
【００２４】
リフィル皿保護容器２１からのリフィル皿取り出し時には、リフィル皿収納部２２内に収納されたリフィル皿裏面の左右いずれかの端部を押すと、凸部２４が支点となり、他の端部が係止を外れて上がる。そして凹部２５に指を入れ、上がった端部を引き起こす。この時、リフィル皿は係止部２６と蛇腹構造２７の山部２８により収納部２２内に密接に係止されていたものが、係止が外れた時には蛇腹構造２７の構造に由来する可撓性のため壁状構造２３が外側に撓み、より簡単にリフィル皿を取り出すことができる。また、凹部２５の大きさには特に制限はないが、指が入る大きさであればより好ましい。
【００２５】
リフィル皿保護容器２１において、係止部２６近傍の壁状構造２３の外縁に設けた突出部２９は、製造ライン等において突出部２９を接地させることによりリフィル皿保護容器２１と床面の摩擦を低減し、移動性を向上させることができる。また、箱容器への装填に際して、リフィル皿を装填したリフィル皿保護容器２１を箱容器へ収納した後、閉蓋時に箱容器に挿入される蓋板のフラップ（差込片）がリフィル皿保護容器２１と接触する面積を少なくし、フラップの挿入を容易にして箱容器を組み立て易くすることができる。さらに、リフィル皿に対する緩衝作用も有する。突出部２９は、上記の効果を損なわない範囲内において、その大きさ、位置は特に制限されない。
【００２６】
以上説明したリフィル皿保護容器２１は、上記のように化粧料を充填したリフィル皿の端部が係止部２６と嵌合し、少なくともこの部分、またはこの部分と蛇腹構造２７の山部２８および／または凸部２４でリフィル皿を保持する。
【００２７】
そして、リフィル皿収納部２２中に保持されたリフィル皿は、凸部２４によりリフィル皿収納部２２の内底面との間に空間部を有するため、上記したようにリフィル皿の一方の端部を押すことにより、凸部２４を支点として他端が上がり、凹部２５に指を入れて引き出すことにより、簡単に取り出すことができるものである。
【００２８】
【作用】
本発明のリフィル皿保護容器１および２１は、シートをプレス成形し、リフィル容器の充填部を保護するリフィル皿収納部２の周囲に保持手段として、係止部６を、また、取り出しのための手段として、凸部４を設けただけのものである。しかしながら、係止部６の作用によりリフィル皿を安定に保持可能であり、また、収納部２の周囲は、壁状構造３になっているから、流通段階において化粧料を充填したリフィル皿を十分に保護することができる。更に、切り欠き部５または指を入れることのできる凹部２５と壁状構造２３中に蛇腹構造２７を設けることにより、取り出しもより簡単にできるものである。
【００２９】
【発明の効果】
本発明のリフィル皿保護容器は、従来の同種のもののように蓋部と収納部に分かれておらず、極めて簡単な構成のものでありながら、十分にリフィル皿およびリフィル用化粧料を保護する目的を達成できるものである。
【００３０】
そして、構造が簡単であるため、使用する成型材料は半分で済み、しかも、製造は極めて簡単なものである。
【００３１】
従って、化粧品の簡易包装に貢献することのできるものであり、ひいては資源保護の立場からも価値の高いものである。
【図面の簡単な説明】
【図１】  本発明のリフィル皿保護容器の一実施態様を示す斜視図
【図２】  本発明のリフィル皿保護容器の一実施態様を示す底面図
【図３】  本発明のリフィル皿保護容器にリフィル皿を収納した状態を示す斜視図
【図４】  係止部の構成を示す斜視図
【図５】  リフィル皿を示す斜視図
【図６】  本発明のリフィル皿保護容器の他の一態様を示す図面。図中、（ａ）は正面図、（ｂ）は側面図、（ｃ）は底面図。
【図７】  図６（ｃ）のＡ−Ａ’線断面図。
【符号の説明】
１ … … リフィル皿保護容器
２ … … リフィル皿収納部
３ … … 壁状構造
４ … … 凸部
５ … … 切り欠き部
６ … … 係止部
７ … … リフィル皿（裏側）
８ … … ラベル
９ … … リフィル皿
１０ … … リフィル皿開口部端面
２１ … … リフィル皿保護容器
２２ … … リフィル皿収納部
２３ … … 壁状構造
２４ … … 凸部
２５ … … 凹部
２６ … … 係止部
２７ … … 蛇腹構造
２８ … … 蛇腹構造の山部
２９ … … 突出部
以    上
【図１】
0004163500.tif 000002
【図２】
0004163500.tif 000003
【図３】
0004163500.tif 000004
【図４】
0004163500.tif 000005
【図５】
0004163500.tif 000006
【図６】
0004163500.tif 000007
【図７】
0004163500.tif 000008